(57)【特許請求の範囲】
【請求項１】
通信相手の識別情報と、秘匿対象か否かを示す属性情報と、通信履歴情報とを対応付けて記憶した記憶部を参照し、通信履歴を表示する通信端末において、
秘匿モードが設定されていない場合には、秘匿対象とされている通信相手の識別情報に対応する通信履歴情報を含めた通信履歴情報を表示し、秘匿モードが設定されている場合には、秘匿対象とされている通信相手の識別情報に対応する通信履歴情報を含めない通信履歴情報を表示する表示手段を備え、
前記表示手段は、秘匿モードが設定されている場合であって、表示対象となる通信履歴情報の数が所定数に満たない場合には、架空通信履歴情報を生成し、生成した前記架空通信履歴情報を前記表示対象となる前記通信履歴情報に加えて表示することを特徴とする通信端末。
【請求項２】
前記表示手段は、秘匿対象とされている通信相手の識別情報に対応する通信履歴情報の数の架空通信履歴情報を生成することを特徴とする請求項１に記載の通信端末。
【請求項３】
通信相手の識別情報と、秘匿対象か否かを示す属性情報と、通信履歴情報とを対応付けて記憶した記憶部を参照し、通信履歴を表示する通信端末の表示プログラムにおいて、
コンピュータに、
秘匿モードが設定されていない場合には、秘匿対象とされている通信相手の識別情報に対応する通信履歴情報を含めた通信履歴情報を表示し、秘匿モードが設定されている場合には、秘匿対象とされている通信相手の識別情報に対応する通信履歴情報を含めない通信履歴情報を表示させ、
秘匿モードが設定されている場合であって、表示対象となる通信履歴情報の数が所定数に満たない場合には、架空通信履歴情報を生成し、生成した前記架空通信履歴情報を前記表示対象となる前記通信履歴情報に加えて表示させる、
処理を実行させることを特徴とする表示プログラム。
【発明の詳細な説明】
【技術分野】
【０００１】
本件は、通信履歴を表示する通信端末及び表示プログラムに関する。
【背景技術】
【０００２】
携帯電話には、公共の場で利用する際のユーザのプライバシーを保護するために様々な防止策が講じられている（特許文献１参照）。
また、携帯電話は、第３者には知られたくない通信相手との通信履歴、並びに、所謂電話帳機能に登録されている当該通信相手に関する登録情報等を一時的に非表示にする機能も備えている。
【０００３】
この機能は、電話帳機能に登録されている通信相手に予め秘匿属性を設定しておき、当該秘匿属性が有効となる状態（以下、「秘匿（プライバシー）モード」）に切り換えることで、実行される。
【０００４】
なお、プライバシーモードに切り替えると、秘匿属性に対応する通信履歴が非表示となり、表示される通信履歴の表示件数は秘匿属性の分だけ減少する。
【先行技術文献】
【特許文献】
【０００５】
【特許文献１】特開２００３−１６２４８３号公報
【発明の概要】
【発明が解決しようとする課題】
【０００６】
しかし、上記のように秘匿属性に設定された通信相手との通信履歴等を非表示にする方法では、以下の問題点があった。
プライバシーモードに切り替えて、秘匿属性に対応する通信履歴のみが非表示となると、第３者により、減少した通信履歴の表示件数から、プライバシーモードの設定、並びにデータの隠蔽等を怪しまれる可能性がある。
【０００７】
本件はこのような点に鑑みてなされたものであり、通信履歴を秘匿にしていることを第３者に分からせないようにした通信端末及び表示プログラムを提供することを目的とする。
【課題を解決するための手段】
【０００８】
上記課題を解決するために、通信相手の識別情報と、秘匿対象か否かを示す属性情報と、通信履歴情報とを対応付けて記憶した記憶部を参照し、通信履歴を表示する通信端末において、秘匿モードが設定されていない場合には、秘匿対象とされている通信相手の識別情報に対応する通信履歴情報を含めた通信履歴情報を表示し、秘匿モードが設定されている場合には、秘匿対象とされている通信相手の識別情報に対応する通信履歴情報を含めない通信履歴情報を表示する表示手段を備え、前記表示手段は、秘匿モードが設定されている場合であって、表示対象となる通信履歴情報の数が所定数に満たない場合には、架空通信履歴情報を生成し、生成した前記架空通信履歴情報を前記表示対象となる前記通信履歴情報に加えて表示する通信端末が提供される。
【０００９】
また、上記目的を達成するために上記の通信端末と同様の処理をコンピュータに実行させる表示プログラムが提供される。
【発明の効果】
【００１０】
上記の通信端末及び表示プログラムによれば、プライバシーモード時に、第３者に情報の秘匿を分からせないようにすることができる。
【図面の簡単な説明】
【００１１】
【図１】第１の実施の形態に係る通信端末の構成を示す図である。
【図２】第１の実施の形態に係る通信端末の表示装置に表示される通信履歴を説明するための図である。
【図３】第２の実施の形態に係る携帯電話のハードウェア構成例を示す図である。
【図４】第２の実施の形態に係る携帯電話が備える機能を示すブロック図である。
【図５】第２の実施の形態に係る携帯電話が備える電話帳データベースに登録される登録情報の具体例を示す図である。
【図６】第２の実施の形態に係る携帯電話が備える通話履歴テーブルに通話ごとに記録される情報の具体例を示す図である。
【図７】第２の実施の形態に係る携帯電話における通話履歴テーブルの更新を実行するための処理手順を示すフローチャートである。
【図８】第２の実施の形態に係る携帯電話における通話履歴の表示を実行するための処理手順を示すフローチャートである。
【図９】第２の実施の形態に係る携帯電話が備える電話帳データベースに登録されている登録情報の表示例を示す図である。
【図１０】第２の実施の形態に係る携帯電話が備える通話履歴テーブルに記録される通話履歴の具体例を示す図である。
【図１１】第２の実施の形態に係る携帯電話が備える通話履歴テーブルに記録される通話履歴の通常表示の表示例を示す図である。
【図１２】第２の実施の形態に係る携帯電話が備える通話履歴テーブルに記録される通話履歴のプライバシーモードの表示例を示す図である。
【図１３】第２の実施の形態に係る携帯電話が備える通話履歴テーブルに記録される通話履歴の別の具体例を示す図である。
【図１４】第２の実施の形態に係る携帯電話が備える通話履歴テーブルに記録される通話履歴の通常表示の別の表示例を示す図である。
【図１５】第２の実施の形態に係る携帯電話が備える通話履歴テーブルに記録される通話履歴のプライバシーモードであり、一定の利用期間が経ってない場合の表示例を示す図である。
【図１６】第２の実施の形態に係る携帯電話が備える通話履歴テーブルに記録される通話履歴のプライバシーモードであり、一定の利用期間が経っている場合の表示例を示す図である。
【発明を実施するための形態】
【００１２】
以下、実施の形態について図面を参照して説明する。
［第１の実施の形態］
図１は、第１の実施の形態に係る通信端末の構成を示す図である。
【００１３】
通信端末１は、プライバシーモードが設定されている場合であり、表示対象となる通信履歴情報の数が所定数に満たない場合に、架空通信履歴情報を生成し、当該架空履歴情報を表示対象となる通話履歴に加えて表示するものである。
【００１４】
このような通信端末１は、図１に示されるように、通信識別情報記憶部２、通信履歴記憶部３、通信実行部４、取得部５、比較部６、架空通信履歴生成部７及び通信履歴表示部８を有する。
【００１５】
通信識別情報記憶部２は、通信相手と通信を実行するための通信識別情報と、通信を実行した通信相手の通信識別情報と共に通信の実行状況の情報とを含む通信履歴情報を表示装置（図示を省略）に表示する表示属性または秘匿にする秘匿属性とを対応付けて記憶する。なお、通信識別情報とは、例えば、メールアドレス、電話番号であって、これらの識別情報に基づいて通信相手を識別して通信を実行することができる。通信の実行状況の情報とは、通信相手と通信を実行した際の通信時刻、通信時間、通信成否等を表す情報である。例えば、電話を着信した場合には、通信の実行状況として、着信時刻、通話時間、応答・不在・保留等である。また、表示属性に対応するものは表示装置に常に表示され、秘匿属性に対応するものは、プライバシーモードに切り替えられた際に、表示されないようになる。
【００１６】
通信履歴記憶部３は、表示装置に表示可能な表示件数分の通信履歴情報を記憶することができる。なお、通信履歴記憶部３の詳細については後述する。
通信実行部４は、通信を実行するごとに、通信履歴記憶部３に対して、通信相手との通信履歴情報を更新する。
【００１７】
取得部５は、通信識別情報記憶部２を参照し、通信履歴記憶部３における表示属性の件数を取得する。
比較部６は、取得部５が取得した表示属性の件数と、表示装置に表示可能な表示件数とを比較する。
【００１８】
架空通信履歴生成部７は、プライバシーモードが設定されている場合であって、比較部６の件数比較結果において表示対象となる通信履歴情報の数が表示装置に表示可能な表示件数に満たない場合に、架空通信履歴情報を生成する。
【００１９】
通信履歴表示部８は、プライバシーモードが設定されていない場合には、秘匿対象とされている通信相手の識別情報に対応する通信履歴情報を含めた通信履歴情報を表示する。プライバシーモードが設定されている場合には、架空通信履歴情報７で生成された架空履歴情報を表示対象となる通信履歴情報に加えて表示する。
【００２０】
次に、このような構成を備える通信端末１が備える通信履歴記憶部３の具体例について説明する。
図２は、第１の実施の形態に係る通信端末の表示装置に表示される通信履歴を説明するための図である。
【００２１】
なお、図２（Ａ）は、通信履歴情報を通信ごとに記憶する通信履歴記憶部３の記憶状態を模式的に示したものであり、各ブロックが１つの通信履歴情報を表している。また、記憶表示範囲Ｘは通信履歴記憶部３が通信履歴情報を記憶して、表示できる範囲を表している。ブロックのＳ１，Ｓ２は秘匿属性に対応する通信履歴情報を、Ｓ１，Ｓ２以外の全てのブロックは表示属性に対応する通信履歴情報をそれぞれ表す。また、図２（Ｂ）は第１の実施の形態を適用せずにプライバシーモードに切り替えた場合の、図２（Ｃ）は第１の実施の形態のプライバシーモードに切り替えた場合に表示される通信履歴情報をそれぞれ表している。なお、破線で表示されているブロックは表示されない通信履歴情報を表している。また、ブロックのＡ１，Ａ２は架空通信履歴生成部７で生成された架空通信履歴情報を表す。
【００２２】
まず、通信端末１の通信履歴記憶部３は、例えば、図２（Ａ）に示されるように、通信実行部４で通信が実行されるごとに、通信相手の通信識別情報と、当該通信の実行状況の情報とを含む通信履歴情報が記憶表示範囲Ｘ内に（この場合には、下から順に）記憶されていく。
【００２３】
例えば、通信端末１をプライバシーモードに切り替えない（通常に表示する）場合には、表示・秘匿属性に関わらず、記憶表示範囲Ｘ内の全ての通信履歴情報が表示装置に表示される。
【００２４】
次に、通信端末１における通信履歴の表示方法の例について図１及び図２を参照して説明する。
まず、通信端末１をプライバシーモードに切り替えない（通常に表示する）場合には、通信履歴表示部８が、上記の通り、表示・秘匿属性に関わらず、記憶表示範囲Ｘ内の通信履歴情報を表示装置に表示する。
【００２５】
次いで、通信端末１をプライバシーモードに切り替えた場合の通信履歴情報の表示について説明する。
比較のために、第１の実施の形態を適用せずにプライバシーモードに切り替えた場合について説明する。
【００２６】
この場合、図２（Ｂ）に示されるように、記憶表示範囲Ｘの通信履歴情報のうち、秘匿属性に対応する通信履歴情報Ｓ１，Ｓ２のみが表示されずに、記憶表示範囲Ｘ内の表示属性に対応する通信履歴情報のみが表示される。即ち、図２（Ａ）の場合と比較して、表示装置に表示される表示件数が減少してしまう。
【００２７】
このようなプライバシーモードに切り替えられた通信端末の一例として携帯電話について説明する。携帯電話では、通信履歴記憶部３に、通信履歴情報として、例えば、通話履歴を一般に最大３０件程度しか記憶することができない。このため、携帯電話の利用を開始して一定の期間が経過すると、記憶可能な最大件数に容易に達してしまう。また、最大件数に達した通話履歴は、ユーザが通話履歴の削除を行わない限り、通話ごとに最古の通話履歴が消去されると共に最新の通話履歴が記憶されて最大件数が維持される。この状況で、上記のように、プライバシーモードに切り替えると、通話履歴の表示件数が最大件数から減少してしまう。特に、利用期間が十分経っている場合、第３者からすれば、通話履歴の少なさが不自然に感じられるため、プライバシーモードの設定、データの隠蔽が疑われる可能性が高くなる。
【００２８】
そこで、第１の実施の形態で実行されるプライバシーモードに切り替えた場合には、以下のような通信履歴の表示処理が実行される。
まず、通信実行部４で通信が実行されるごとに、通信履歴記憶部３の通信履歴情報が更新される。
【００２９】
通信端末１に対してユーザにより通信履歴の表示要求が実行されると、取得部５は、通信履歴記憶部３から、通信識別情報記憶部２の通信識別情報に設定されている表示属性に該当する通信識別情報を含む通信履歴情報を取得する。なお、この時の取得部５により取得される表示属性に対応する通信履歴情報の件数は、図２の場合には、記憶表示範囲Ｘの記憶件数−２件（通信履歴情報Ｓ１，Ｓ２）である。
【００３０】
比較部６は、取得部５が取得した表示属性に対応する通信履歴情報の件数（記憶表示範囲Ｘの記憶件数−２件（通信履歴情報Ｓ１，Ｓ２））と、表示装置に表示可能な表示件数とを比較する。
【００３１】
架空通信履歴生成部７は、比較部６の比較結果が、取得部５で取得された表示属性に対応する通信履歴情報の件数が表示装置に表示可能な表示件数に満たないため、新たに、架空通信履歴情報Ａ１，Ａ２を生成する。
【００３２】
通信履歴表示部８は、取得部５で取得された表示属性に対応する通信履歴情報の件数が表示装置に表示可能な表示件数に満たない場合には、秘匿属性に対応する通信履歴情報Ｓ１，Ｓ２を非表示にする。さらに、通信履歴表示部８は、架空通信履歴生成部７で生成された架空通信履歴情報Ａ１，Ａ２を加えて、図２（Ｃ）に示されるように、表示件数分の通信履歴情報を表示する。
【００３３】
このように通信端末１は、プライバシーモードが設定されている場合であり、表示対象となる通信履歴情報の数が所定数に満たない場合に、架空通信履歴情報を生成し、当該架空履歴情報を表示対象となる通話履歴に加えて表示するようにした。このため、通信履歴表示部８は、秘匿属性に対応する通信履歴情報を非表示にしても、表示件数分の通信履歴情報を表示することができる。この結果、プライバシーモードに切り替えても、通信端末１の表示装置に表示される通信履歴の表示件数が減少しなくなるため、第３者から、プライバシーモードの設定、並びにデータの隠蔽等を怪しまれることを防止できるようになる。
【００３４】
［第２の実施の形態］
第２の実施の形態では、第１の実施の形態について具体的に説明する。なお、第２の実施の形態では、通信端末として携帯電話の場合を例に挙げて説明する。
【００３５】
携帯電話は、一般に、メールの送受信履歴及び電話帳機能の記録件数は１０００〜２０００件程度である。また、携帯電話は、利用期間が長くなるにつれて、ユーザによる様々な情報の削除・追加の回数が増加する。ところが、携帯電話の利用期間が長くなっても、一般的にメールの送受信履歴及び電話帳機能はその記録件数の多さから最大記録件数に達することはあまりない。このため、プライバシーモードに切り替えた際に、メールの送受信履歴及び電話帳機能は表示されていた表示件数が減少しても第３者に不自然に思われず、怪しまれないため、秘匿にしていることに気づかれる可能性は少ない。
【００３６】
一方、携帯電話の通話履歴については、上記の通り、最大３０件程度しか記録できないことから、利用期間の長さに伴って最大記録件数に達しやすく、プライバシーモードに切り替えた際に記録件数が減少すると、第３者から疑われる可能性が高い。そこで、第２の実施の形態では、通話履歴の秘匿が第３者に疑われないようにするための手段を、通信及び通信識別情報として通話及び電話番号の場合を例に挙げて説明する。
【００３７】
図３は、第２の実施の形態に係る携帯電話のハードウェア構成例を示す図である。
通信端末は、例えば、図３に示すような携帯電話１０により実現される。この携帯電話１０は、ＣＰＵ（Central Processing Unit）１０ａ、ＲＡＭ（Random Access Memory）１０ｂ、フラッシュメモリ１０ｃ、表示部１０ｄ、入力部１０ｅ、スピーカ１０ｆ、マイク１０ｇ、無線通信部１０ｈ及びアンテナ１０ｉを備えている。これらの各部はバス１０ｊで相互に接続されている。
【００３８】
ＣＰＵ１０ａは、フラッシュメモリ１０ｃ等の記憶媒体に記憶された各種プログラムを実行することにより、この携帯電話１０全体を統括的に制御する。
ＲＡＭ１０ｂには、ＣＰＵ１０ａに実行させるＯＳ（Operating System）やプログラムの少なくとも一部が一時的に格納される。また、ＲＡＭ１０ｂには、ＣＰＵ１０ａによる処理に必要な各種データが格納される。
【００３９】
フラッシュメモリ１０ｃには、携帯電話１０上のＯＳやアプリケーションのプログラムが格納される。また、フラッシュメモリ１０ｃには、ＣＰＵ１０ａによる処理に必要な各種データが格納される。
【００４０】
表示部１０ｄは、携帯電話１０のＣＰＵ１０ａからの命令に従って画像を表示させるモニタである。表示部１０ｄとしては、例えば、液晶モニタが用いられる。
入力部１０ｅは、ユーザの操作入力に応じて携帯電話１０への入力を行う。入力部１０ｅとしては、例えば、キーボードが用いられる。
【００４１】
スピーカ１０ｆは、ユーザの設定に応じて、着信音、アラーム音、入力部１０ｅに対する入力時の操作音、通話時の相手の音声等を出力する。
マイク１０ｇは、通話時のユーザから発せられる音声を取得して、取得した音声を電気信号に変換する。
【００４２】
無線通信部１０ｈは、無線通信のためのＲＦ（Radio Frequency）回路や、送受信信号の変復調回路等を備える。携帯電話１０は、無線通信部１０ｈ及びアンテナ１０ｉを介して基地局と無線通信することで、他の携帯電話等の情報処理機器との間でデータの送受信並びに音声通話を行うことが可能になる。
【００４３】
次いで、携帯電話１０が備える制御機能について説明する。
図４は、第２の実施の形態に係る携帯電話が備える機能を示すブロック図である。
携帯電話１０は、表示件数以上の通話履歴を記録し、プライバシーモードに切り替えた際、表示件数分の表示属性に対応する通話履歴を表示するものである。
【００４４】
このような携帯電話１０は、電話帳データベース１１、通話履歴テーブル１２、通話実行部１３及び通話履歴更新部１４を有する。さらに、通話履歴表示実行部１５、モード識別部１６、属性取得部１７、比較部１８、表示履歴生成部１９、表示処理部２０及び架空通話履歴生成部２１を有する。
【００４５】
まず、電話帳データベース１１に登録される情報について説明する。
図５は、第２の実施の形態に係る携帯電話が備える電話帳データベースに登録される登録情報の具体例を示す図である。
【００４６】
電話帳データベース１１には、図５に示されるように、通信相手ごとに、氏名（漢字・よみ）、郵便番号、住所、グループ名、電話番号、メールアドレス、誕生日、会社・学校名等の情報を登録し、秘匿属性を設定することができる。秘匿属性を設定すると、プライバシーモードに切り替えられた際に、秘匿属性が設定された通信相手との通話履歴が表示部１０ｄに表示されないようになる。秘匿属性を設定しない場合には、表示属性が設定されて、常に通信相手との通話履歴が表示部１０ｄに表示されるようになる。なお、図５の場合には、電話番号及びメールアドレスは、例えば、最大５件まで登録することが可能である。
【００４７】
次いで、通話履歴テーブル１２に記録される情報について説明する。
図６は、第２の実施の形態に係る携帯電話が備える通話履歴テーブルに通話ごとに記録される情報の具体例を示す図である。
【００４８】
なお、図６（Ａ）は通話の着信履歴の場合を、図６（Ｂ）は通話の発信履歴の場合をそれぞれ表している。
通話履歴テーブル１２には、図６に示されるように、電話の着信、発信ごとに、図６に示される項目の情報が記録される。通話履歴テーブル１２に記録される記録件数は発着信においてそれぞれ最大６０件であり、そのうち、最新の通話から最大３０件を表示部１０ｄに表示することができる。なお、着信及び発信における記録件数は表示件数よりも多い必要があり、これらの記録件数及び表示件数は限定されるものではない。
【００４９】
まず、電話の着信の場合には、図６（Ａ）に示されるように、着信ごとに、着信元電話番号、着信日、着信時刻、着信種別及び通話時間が記録される。着信種別とは、電話の着信時において、ユーザが応答して通話できた場合、所定時間内に応答できなかった場合、及び所定時間内に応答できずに留守番電話に切り替わって伝言メモを受け付けた場合の各種別を表す。また、ユーザが応答して通話できた場合には「通話」を示す「０」が、所定時間内に応答できなかった場合には「不在着信」を示す「１」が、伝言メモを受け付けた場合には「伝言メモ」を示す「２」がそれぞれ着信種別として記録される。
【００５０】
また、電話の発信の場合には、図６（Ｂ）に示されるように、発信ごとに、発信先電話番号、発信日、発信時刻、通話時間が記録される。
図４に戻る。通話実行部１３は、外部からの電話をアンテナ１０ｉで受信して、無線通信部１０ｈを動作させて着信する。また、通話実行部１３は、ユーザの操作入力に基づいた電話番号に、または、ユーザの操作入力で指定された電話帳データベース１１に登録されている電話番号に、無線通信部１０ｈを動作させてアンテナ１０ｉから電話の発信を実行する。また、このようにして電話の発着信を実行した通話実行部１３は、発着信時の時刻から通話時間を計測することができる。
【００５１】
通話履歴更新部１４は、電話を着信して、通話実行部１３で通話が実行されると、図６（Ａ）に示される、着信元電話番号、着信日、着信時刻、着信種別、着信時間を含む通話履歴情報に関して、通話履歴テーブル１２を新たに更新する。また、通話履歴更新部１４は、電話を発信して、通話実行部１３で通話が実行されると、図６（Ｂ）に示される、発信先電話番号、発信日、発信時刻、通話時間を含む通話履歴情報に関して、通話履歴テーブル１２を新たに更新する。
【００５２】
なお、通話履歴更新部１４は、電話の着信及び発信の両方の場合において、通話履歴テーブル１２を、例えば、以下のフローチャートに従って更新することができる。
図７は、第２の実施の形態に係る携帯電話における通話履歴テーブルの更新を実行するための処理手順を示すフローチャートである。
【００５３】
［ステップＳ１１］
通話履歴更新部１４は、通話履歴テーブル１２に現在記録されている通話履歴情報の記録件数が、表示部１０ｄに表示可能な表示件数以上であるか否かを判定する。次の処理は、通話履歴情報の記録件数が表示件数以上である場合には、ステップＳ１２に進められる。また、通話履歴情報の記録件数が表示件数以上ではない場合、即ち、記録されている通話履歴情報の記録件数が表示件数未満である場合には、ステップＳ１４に進められる。
【００５４】
［ステップＳ１２］
通話履歴更新部１４は、通話履歴テーブル１２から、電話帳データベース１１の電話番号に設定されている表示属性に該当する電話番号を含む通話履歴情報を特定する。そして、当該表示属性に対応する通話履歴情報の件数が、表示部１０ｄに表示可能な表示件数以上であるか否かを判定する。次の処理は、通話履歴テーブル１２の表示属性に対応する通話履歴情報の件数が表示件数以上である場合には、ステップＳ１３に進められる。また、通話履歴テーブル１２の表示属性に対応する通話履歴情報の件数が表示件数以上ではない場合、即ち、通話履歴テーブル１２の表示属性に対応する通話履歴情報の件数が表示件数未満である場合には、ステップＳ１４に進められる。
【００５５】
［ステップＳ１３］
通話履歴更新部１４は、通話履歴テーブル１２に現在記録されている最古の通話履歴情報を削除する。
【００５６】
［ステップＳ１４］
通話履歴更新部１４は、通話実行部１３によって発着信が実行されることにより発生した最新の通話履歴情報を追加して通話履歴テーブル１２を更新する。
【００５７】
通話履歴更新部１４は、通話実行部１３で発着信が実行されるごとに以上の処理を行って通話履歴テーブル１２を更新することができる。
再び、図４に戻る。通話履歴表示実行部１５は、ユーザの入力部１０ｅに対する表示要求の操作入力に基づき、通話履歴情報の表示処理を実行する。
【００５８】
モード識別部１６は、通話履歴表示実行部１５により表示処理が実行されると、携帯電話１０が現在プライバシーモードに設定されているか否かを識別する。
属性取得部１７は、モード識別部１６でプライバシーモードに設定されていることが識別された場合に、電話帳データベース１１の電話番号に設定されている属性状況（表示・秘匿）を参照して、通話履歴テーブル１２に記録されている通話履歴情報に含まれる電話番号に該当する属性を特定する。そして、属性取得部１７は、通話履歴テーブル１２のうち、特定した属性に該当する電話番号を含む通話履歴情報を取得して、取得した通話履歴情報の件数を計数する。
【００５９】
比較部１８は、まず、通話履歴テーブル１２の表示属性に対応する通話履歴情報の件数と、通話履歴テーブル１２の表示件数とを比較する。さらに、比較部１８は、携帯電話１０が利用を開始されてから当該表示処理を実行するまでの利用期間と、予め設定されている所定期間とを比較する。
【００６０】
表示履歴生成部１９は、まず、モード識別部１６によりプライバシーモードに切り替えられていないことが識別された場合に、通話履歴テーブル１２のうち、属性設定状況に関わらず、最新の通話から表示件数分の通話履歴情報を選択する。さらに、表示履歴生成部１９は、選択した通話履歴情報に、当該通話履歴情報に含まれる電話番号に該当する氏名を電話帳データベース１１から選択して、付加する。
【００６１】
また、表示履歴生成部１９は、モード識別部１６でプライバシーモードに切り替えられていることが識別された場合に、比較部１８で行われた比較処理の結果に応じて、次の処理を行う。
【００６２】
通話履歴テーブル１２の表示属性に対応する通話履歴情報の件数が表示件数以上の場合に次の処理が実行される。表示履歴生成部１９は、まず、電話帳データベース１１の電話番号に設定されている表示属性を参照して、通話履歴テーブル１２から、表示属性に該当する電話番号を含む通話履歴情報のみを最新の通話から表示件数分選択する。次いで、表示履歴生成部１９は、選択した表示件数分の表示属性に対応する通話履歴情報に、電話帳データベース１１から、当該通話履歴情報に含まれる電話番号に該当する氏名を選択して、付加する。
【００６３】
次に、通話履歴テーブル１２の表示属性に対応する通話履歴情報の件数が表示件数未満であって、利用期間が所定期間未満の場合に次の処理が実行される。表示履歴生成部１９は、まず、電話帳データベース１１の電話番号に設定されている表示属性を参照して、通話履歴テーブル１２から、表示属性に該当する電話番号を含む通話履歴情報のみを全て選択する。次いで、表示履歴生成部１９は、選択した通話履歴情報に、電話帳データベース１１から、当該通話履歴情報に含まれる電話番号に該当する氏名を選択して、付加する。
【００６４】
そして、通話履歴テーブル１２の表示属性に対応する通話履歴情報の件数が表示件数未満であって、利用期間が所定期間以上の場合に次の処理が実行される。表示履歴生成部１９は、第２の処理を行って、さらに、氏名を付加した通信履歴情報に対して、後述する架空通話履歴生成部２１で生成された架空通信履歴情報を追加する。
【００６５】
表示処理部２０は、表示履歴生成部１９で生成された、氏名が付加された通話履歴情報等を表示部１０ｄに表示する。
架空通話履歴生成部２１は、通話履歴テーブル１２の表示属性に対応する通話履歴情報の件数が表示件数未満であって、利用期間が所定期間以上の場合に、電話帳データベース１１の表示属性の登録情報から任意の氏名を選択して、選択した氏名と、任意の通話時刻、通話時間等とから架空通話履歴情報を生成する。
【００６６】
なお、架空通話履歴生成部２１では、架空通話履歴情報を生成するにあたって、予め、生成する範囲を設定しておくことができる。例えば、氏名については、電話帳データベース１１において、グループ並びに会社・学校等の中から氏名を選択するように設定することができる。また、通話時刻、通話時間についても、例えば、ユーザが普段電話を利用することが多い時間帯等から通話時間を予め設定しておくことができる。なお、通話日については、利用開始から当該表示処理が実行されるまでの間で任意に選択される。このように予め架空通話履歴情報を生成する範囲を設定しておくことで、架空通話履歴生成部２１により任意に生成された架空通話履歴情報が不自然なものにならないようにして、第３者に怪しまれることを防止することができる。
【００６７】
次に、携帯電話１０で行われる、通話履歴の表示を実行する処理手順について説明する。
図８は、第２の実施の形態に係る携帯電話における通話履歴の表示を実行するための処理手順を示すフローチャートである。
【００６８】
［ステップＳ２１］
ユーザによって入力部１０ｅに対して通話履歴の表示要求の操作入力が実行されると、通話履歴表示実行部１５が表示処理を実行する。そして、モード識別部１６は、携帯電話１０がプライバシーモードに設定されているか否かを識別する。次の処理は、プライバシーモードが設定されていないことが識別された場合にはステップＳ２２に進められ、プライバシーモードに設定されていることが識別された場合にはステップＳ２３に進められる。
【００６９】
［ステップＳ２２］
表示履歴生成部１９は、通話履歴テーブル１２のうち、属性設定状況に関わらず、最新の通話から３０件の通話履歴情報を選択する。さらに、表示履歴生成部１９は、選択した通話履歴情報に、当該通話履歴情報に含まれる電話番号に該当する氏名を電話帳データベース１１から選択して、付加する。表示処理部２０は、表示履歴生成部１９で生成された、氏名が付加された通話履歴情報等を表示部１０ｄに表示する。なお、通話履歴テーブル１２に記憶されている通話履歴情報が３０件未満の場合には、全ての通話履歴情報が選択されて、選択された通話履歴情報に氏名が付加されて表示部１０ｄに表示される。
【００７０】
［ステップＳ２３］
属性取得部１７は、電話帳データベース１１の電話番号に設定されている表示属性を参照して、通話履歴テーブル１２に記録されている通話履歴情報に含まれる電話番号に該当する表示属性を特定する。そして、属性取得部１７は、通話履歴テーブル１２のうち、特定した表示属性に該当する電話番号を含む通話履歴情報を取得して、取得した通話履歴情報の件数を計数する。
【００７１】
［ステップＳ２４］
比較部１８は、ステップＳ２３で取得した表示属性に対応する通話履歴情報の件数と、通話履歴テーブル１２で表示される通話履歴情報の表示件数とを比較する。次の処理は、表示属性に対応する通話履歴情報の件数が表示件数以上の場合にはステップＳ２５に進められる。また、表示属性に対応する通話履歴情報の件数が表示件数以上ではない場合、即ち、表示属性に対応する通話履歴情報の件数が表示件数未満の場合にはステップＳ２６に進められる。
【００７２】
［ステップＳ２５］
表示履歴生成部１９は、電話帳データベース１１の電話番号に設定されている表示属性を参照して、通話履歴テーブル１２から、表示属性に該当する電話番号を含む通話履歴情報のみを最新の通話から３０件分選択する。そして、表示履歴生成部１９は、選択した３０件分の表示属性に対応する通話履歴情報に、当該通話履歴情報に含まれる電話番号に該当する氏名を電話帳データベース１１から選択して、付加する。表示処理部２０は、氏名が付加された３０件の通話履歴情報を表示部１０ｄに表示する。
【００７３】
［ステップＳ２６］
比較部１８は、携帯電話１０が利用を開始されてから当該表示処理を実行するまでの利用期間と、予め設定されている所定期間とを比較する。次の処理は、利用期間が所定期間以上ではない場合、即ち、利用期間が所定期間未満の場合にはステップＳ２７に進められ、利用期間が所定期間以上である場合にはステップＳ２８に進められる。
【００７４】
［ステップＳ２７］
表示履歴生成部１９は、電話帳データベース１１の電話番号に設定されている表示属性を参照して、通話履歴テーブル１２から、当該表示属性に該当する電話番号を含む通話履歴情報のみを全て選択する。表示履歴生成部１９は、選択した通話履歴情報に、当該通話履歴情報に含まれる電話番号に該当する氏名を電話帳データベース１１から選択して、付加する。表示処理部２０は、氏名が付加された３０件の通話履歴情報を表示部１０ｄに表示する。
【００７５】
［ステップＳ２８］
架空通話履歴生成部２１は、電話帳データベース１１から、表示属性が設定されている電話番号及び当該電話番号に対応する氏名を任意に選択して、選択した電話番号及び氏名に任意に発生させた通話日、通話時刻、通話時間を付加した架空通話履歴情報を生成する。なお、電話が着信の場合であれば、通話日、通話時刻、通話時間に、任意の通話種別が加えられる。
【００７６】
［ステップＳ２９］
表示履歴生成部１０は、電話帳データベース１１の電話番号に設定されている表示属性を参照して、通話履歴テーブル１２から、当該表示属性に該当する電話番号を含む通話履歴情報のみを全て選択する。表示履歴生成部１９は、選択した通話履歴情報に、当該通話履歴情報に含まれる電話番号に該当する氏名を電話帳データベース１１から選択して、付加する。さらに、氏名を付加した通信履歴情報に対して、後述する架空通話履歴生成部２１で生成された架空通信履歴情報を追加する。表示処理部２０は、氏名が付加された通話履歴情報及び架空通話履歴情報を表示部１０ｄに表示する。
【００７７】
このようなフローに従って、携帯電話１０の通話履歴の処理表示が実行される。
次に、上記処理フローに基づいて、携帯電話１０の表示処理について具体的に説明する。
【００７８】
［実施例１］
実施例１では、通話履歴テーブルに記録されている表示属性に対応する通話履歴情報の件数が、表示件数よりも多い場合について説明する。
【００７９】
まず、電話帳データベース１１に登録されている登録情報を表示部１０ｄに表示する際の具体例について説明する。
図９は、第２の実施の形態に係る携帯電話が備える電話帳データベースに登録されている登録情報の表示例を示す図である。
【００８０】
表示部１０ｄの表示画面１０ｄ１には１頁に最大７件の登録情報を表示することができ、図９では、電話帳データベース１１から、９頁中の１頁目に７件の登録情報が表示されている。また、表示されている登録情報は、図５の項目の中からユーザが指定することができ、図９には、例えば、「氏名」、「電話番号」、「秘匿属性（表示属性）」が表示されている。「秘匿属性」がＯＮの場合には秘匿属性が設定されており、「秘匿属性」がＯＦＦの場合には表示属性が設定されていることを表す。なお、図９に示す、電話帳データベース１１では、「田中明子」のみに秘匿属性が設定されており、それ以外の全ては表示属性が設定されている。
【００８１】
次いで、通話履歴テーブル１２ａに記録されている通話履歴情報について説明する。なお、以下では、電話を着信した場合の通話履歴について説明する。
図１０は、第２の実施の形態に係る携帯電話が備える通話履歴テーブルに記録される通話履歴の具体例を示す図である。
【００８２】
通話履歴テーブル１２ａには、図１０に示されるように、「着信日」、「着信時間」、「着信種別」及び「着信元電話番号」を含む通話履歴情報が６０件記録されている。「着信種別」については、図６で説明したように、「通話」を示す「０」、「不在着信」を示す「１」及び「伝言メモ」を示す「２」がそれぞれ記録されている。なお、電話番号「０９０３３３３４４４４」（秘匿属性が設定された「田中明子」に該当）からは４件の着信があり、図１０に記載されていない通話履歴には当該電話番号からの着信は無いものとする。
【００８３】
このような電話帳データベース１１及び通話履歴テーブル１２ａを具備する携帯電話１０において、プライバシーモードが設定されていない場合、即ち、通常の表示について説明する。
【００８４】
ユーザによる入力部１０ｅに対して通話履歴の表示要求の操作入力が実行されると、通話履歴表示実行部１５が表示処理を実行する。そして、モード識別部１６が、プライバシーモードが設定されていないことを識別する（ステップＳ２１）。
【００８５】
表示履歴生成部１９は、通話履歴テーブル１２ａのうち、最新の着信から３０件の通話履歴情報を選択する。さらに、表示履歴生成部１９は、選択した通話履歴情報に、当該通話履歴情報に含まれる電話番号に該当する氏名を電話帳データベース１１から選択して、付加する。表示処理部２０は、表示履歴生成部１９で生成された、氏名が付加された通話履歴情報等を、図１１に示されるように、表示部１０ｄの表示画面１０ｄ１に表示する（ステップＳ２２）。
【００８６】
図１１は、第２の実施の形態に係る携帯電話が備える通話履歴テーブルに記録される通話履歴の通常表示の表示例を示す図である。
図１１の表示部１０ｄの表示画面１０ｄ１には１頁に最大５件の通話履歴情報を表示することができ、６頁中の１頁目の５件の通話履歴情報が表示されている。なお、表示画面１０ｄ１には電話番号に対応付けられた氏名と、着信種別の番号に対応付けられた種別内容とを表示するようにしている。図１１に示されるように、プライバシーモードが設定されていない場合には、通話履歴テーブル１２ａから、秘匿・表示属性の設定に関わらず３０件の通話履歴情報が表示される。
【００８７】
次に、プライバシーモードが設定されている場合について説明する。
ユーザによる入力部１０ｅに対する通話履歴の表示要求の操作入力後、通話履歴表示実行部１５が表示処理を実行し、モード識別部１６が、プライバシーモードが設定されていることを識別する（ステップＳ２１）。
【００８８】
属性取得部１７は、電話帳データベース１１の電話番号に設定されている表示属性を参照して、通話履歴テーブル１２ａに記録されている通話履歴情報に含まれる電話番号に該当する表示属性を特定する。そして、属性取得部１７は、通話履歴テーブル１２ａのうち、特定した表示属性に該当する電話番号を含む通話履歴情報を取得して、取得した通話履歴情報の件数を計数する。この場合では、電話帳データベース１１では、「田中明子」のみに秘匿属性が設定されているため、属性取得部１７は、通話履歴テーブル１２ａから「田中明子」以外の通話履歴情報の件数（５６件＝６０件−４件）を取得する（ステップＳ２３）。
【００８９】
比較部１８は、取得した表示属性に対応する通話履歴情報の件数（５６件）と、通話履歴テーブル１２ａで表示される通話履歴情報の表示件数（３０件）とを比較する（ステップＳ２４）。
【００９０】
表示履歴生成部１９は、電話帳データベース１１の電話番号に設定されている表示属性を参照して、通話履歴テーブル１２ａから、表示属性に該当する電話番号を含む通話履歴情報のみを最新の着信から３０件分選択する。そして、表示履歴生成部１９は、選択した３０件分の表示属性に対応する通話履歴情報に、当該通話履歴情報に含まれる電話番号に該当する氏名を電話帳データベース１１から選択して、付加する。表示処理部２０は、氏名が付加された３０件の通話履歴情報を、図１２に示されるように、表示部１０ｄの表示画面１０ｄ１に表示する（ステップＳ２５）。
【００９１】
図１２は、第２の実施の形態に係る携帯電話が備える通話履歴テーブルに記録される通話履歴のプライバシーモードの表示例を示す図である。
図１２の表示部１０ｄの表示画面１０ｄ１には、秘匿属性に対応する「田中明子」の通話履歴情報が非表示にされると共に、表示件数は図１１の場合と変わらないことが分かる。
【００９２】
［実施例２］
実施例２では、通話履歴テーブルに記録されている表示属性に対応する通話履歴情報の件数が、表示件数よりも少ない場合について説明する。なお、実施例２でも電話帳データベース１１は、実施例１と同様であり、電話を着信した場合について説明する。
【００９３】
まず、通話履歴テーブル１２ｂに記録されている通話履歴情報について説明する。
図１３は、第２の実施の形態に係る携帯電話が備える通話履歴テーブルに記録される通話履歴の別の具体例を示す図である。
【００９４】
通話履歴テーブル１２ｂには、図１３に示されるように、「着信日」、「着信時間」、「着信種別」及び「着信元電話番号」を含む通話履歴情報が９件記録されている。「着信種別」については、既述の通りに、「通話」を示す「０」、「不在着信」を示す「１」及び「伝言メモ」を示す「２」がそれぞれ記録されている。また、電話番号「０９０３３３３４４４４」（秘匿属性が設定された「田中明子」に該当）からも４件の着信がある。
【００９５】
このような電話帳データベース１１及び通話履歴テーブル１２ｂを具備する携帯電話１０において、プライバシーモードが設定されていない場合、即ち、通常の表示について説明する。
【００９６】
ユーザによる入力部１０ｅに対して通話履歴の表示要求の操作入力が実行されて、通話履歴表示実行部１５が表示処理を実行する。そして、モード識別部１６が、プライバシーモードが設定されていないことを識別する（ステップＳ２１）。
【００９７】
表示履歴生成部１９は、通話履歴テーブル１２ｂのうち、全ての通話履歴情報を選択する。さらに、表示履歴生成部１９は、選択した通話履歴情報に、当該通話履歴情報に含まれる電話番号に該当する氏名を電話帳データベース１１から選択して、付加する。表示処理部２０は、表示履歴生成部１９で生成された、氏名が付加された通話履歴情報等を、図１４に示されるように、表示部１０ｄの表示画面１０ｄ１に表示する（ステップＳ２２）。
【００９８】
図１４は、第２の実施の形態に係る携帯電話が備える通話履歴テーブルに記録される通話履歴の通常表示の別の表示例を示す図である。
図１４に示されるように、プライバシーモードが設定されていない場合には、通話履歴テーブル１２ｂから、秘匿・表示属性の設定に関わらず全ての通話履歴情報が表示される。
【００９９】
次に、プライバシーモードが設定されている場合について説明する。
ユーザによる入力部１０ｅに対して通話履歴の表示要求の操作入力が実行されて、通話履歴表示実行部１５が表示処理を実行する。そして、モード識別部１６が、プライバシーモードが設定されていることを識別する（ステップＳ２１）。
【０１００】
属性取得部１７は、電話帳データベース１１の電話番号に設定されている表示属性を参照して、通話履歴テーブル１２ｂに記録されている通話履歴情報に含まれる電話番号に該当する表示属性を特定する。そして、属性取得部１７は、通話履歴テーブル１２ｂのうち、特定した表示属性に該当する電話番号を含む通話履歴情報を取得して、取得した通話履歴情報の件数を計数する。この場合では、電話帳データベース１１では、「田中明子」のみに秘匿属性が設定されているため、属性取得部１７は、通話履歴テーブル１２ｂから「田中明子」以外の通話履歴情報の件数（５件＝９件−４件）を取得する（ステップＳ２３）。
【０１０１】
比較部１８は、取得した表示属性に対応する通話履歴情報の件数（５件）と、通話履歴テーブル１２ｂで表示される通話履歴情報の表示件数（３０件）とを比較する（ステップＳ２４）。
【０１０２】
さらに、比較部１８は、携帯電話１０が利用を開始されてから当該表示処理を実行するまでの利用期間と、予め設定されている所定期間とを比較する（ステップＳ２６）。
ここで、利用期間が所定期間未満である場合（ステップＳ２６：ｎｏ）には、表示履歴生成部１９は、電話帳データベース１１の電話番号に設定されている表示属性を参照して、通話履歴テーブル１２ｂから、表示属性に該当する電話番号を含む通話履歴情報のみを５件全て選択する。そして、表示履歴生成部１９は、選択した５件の通話履歴情報に、当該通話履歴情報に含まれる電話番号に該当する氏名を電話帳データベース１１から選択して、付加する。表示処理部２０は、表示履歴生成部１９で生成された、当該５件分の通話履歴情報等を、図１５に示されるように、表示部１０ｄの表示画面１０ｄ１に表示する（ステップＳ２７）。
【０１０３】
図１５は、第２の実施の形態に係る携帯電話が備える通話履歴テーブルに記録される通話履歴のプライバシーモードであり、一定の利用期間が経ってない場合の表示例を示す図である。
【０１０４】
図１５の表示部１０ｄの表示画面１０ｄ１には、秘匿属性に対応する「田中明子」の通話履歴情報が非表示にされて、その他の表示属性に対応する５件の通話履歴情報が表示されている。表示件数は、図１４の場合と比較すると減少している。しかし、この場合には、携帯電話１０の利用期間が所定期間よりも短いことから、着信件数が少ない場合も考えられる。したがって、表示件数が減少しても、第３者にプライバシーモードの設定を怪しまれる可能性が低い。
【０１０５】
一方、比較部１８は、携帯電話１０の利用期間と所定期間とを比較して、利用期間が所定期間以上である場合（ステップＳ２６：ｙｅｓ）には、架空通話履歴生成部２１が、電話帳データベース１１の表示属性の登録情報から任意の氏名を選択する。さらに、架空通話履歴生成部２１は、選択した氏名と共に、例えば、「９月１日〜３日」、「１０時〜２２時」、「不在・応答」の範囲で発生させた通話日、通話時刻及び着信種別を含む架空通話履歴情報を生成する。なお、架空通話履歴生成部２１は、表示件数（３０件）から通話履歴テーブル１２ｂの表示属性に対応する通話履歴情報の件数（５件）を引いた分（２５件）の架空通話履歴情報を生成する（ステップＳ２８）。また、架空通話履歴生成部２１が、実際の通話履歴件数（通話履歴テーブル１２ｂのレコード数）から通話履歴テーブル１２ｂの表示属性に対応する通話履歴情報の件数（５件）を引いた分（つまり秘匿属性に対応する通話履歴情報の件数）の架空通話履歴情報を生成することで、結果として実際の通話履歴件数が表示されるようにすることも考えられる。
【０１０６】
表示履歴生成部１９は、電話帳データベース１１の電話番号に設定されている表示属性を参照して、通話履歴テーブル１２ｂから、表示属性に該当する電話番号を含む通話履歴情報のみを５件全て選択する。そして、表示履歴生成部１９は、選択した５件の通話履歴情報に、電話帳データベース１１から、当該通話履歴情報に含まれる電話番号に該当する氏名を選択して、付加する。さらに、表示履歴生成部１９は、氏名を付加した通話履歴情報に架空通話履歴情報を追加する。表示処理部２０は、通話履歴情報及び架空通話履歴情報を図１６に示されるように、表示部１０ｄに表示する（ステップＳ２９）。
【０１０７】
図１６は、第２の実施の形態に係る携帯電話が備える通話履歴テーブルに記録される通話履歴のプライバシーモードであり、一定の利用期間が経っている場合の表示例を示す図である。
【０１０８】
図１６に示す表示部１０ｄの表示画面１０ｄ１には、秘匿属性に対応する通話履歴情報が秘匿されると共に、表示件数の通話履歴情報が３０件分表示されている。なお、図１６では、６頁中の２頁目の５件分の通話履歴情報が表示されている。これによれば、秘匿属性に対応する「田中明子」の通話履歴情報が非表示にされて、その他の表示属性に対応する５件の通話履歴情報に追加された２５件分の架空通話履歴情報が表示されている。このため、見掛け上、通話履歴情報が３０件表示されていることになっている。
【０１０９】
このように携帯電話１０は、通話履歴テーブル１２で、表示部１０ｄに表示される通信履歴情報の表示件数より多くの通信履歴情報を記憶できるようにした。このため、表示履歴生成部１９が、通話履歴テーブル１２にて、秘匿属性に対応する通信履歴情報を非表示にして、表示件数分の表示属性に対応する通信履歴情報を表示することができる。また、通話履歴テーブル１２の表示属性に対応する通信履歴情報の件数が表示件数よりも少ない場合には、携帯電話１０の利用期間に応じて、表示件数に対して不足分の架空通話履歴情報を生成して、表示属性に対応する通信履歴情報と架空の通話履歴情報とを表示することができる。この結果、プライバシーモードに切り替えられても、携帯電話１０の表示部１０ｄの表示画面１０ｄ１に表示される通信履歴の表示件数が減少しなくなるため、第３者から、プライバシーモードの設定、並びにデータの隠蔽等を怪しまれることを防止できるようになる。
【０１１０】
なお、上記の各実施の形態で示した通信端末１及び携帯電話１０が有する機能の少なくとも一部は、コンピュータによって実現することができる。その場合には、上記機能の処理内容を記述したプログラムが提供される。そして、そのプログラムをコンピュータで実行することにより、上記処理機能がコンピュータ上で実現される。処理内容を記述したプログラムは、コンピュータで読み取り可能な記録媒体に記録しておくことができる。コンピュータで読み取り可能な記録媒体としては、磁気記録装置、光ディスク、光磁気記録媒体、半導体メモリ等がある。
【０１１１】
プログラムを流通させる場合には、例えば、そのプログラムが記録された光ディスク等の可搬型記録媒体が販売される。また、プログラムをサーバコンピュータの記憶装置に格納しておき、そのプログラムを、サーバコンピュータからネットワークを介して他のコンピュータに転送することもできる。
【０１１２】
プログラムを実行するコンピュータは、例えば、可搬型記録媒体に記録されたプログラムまたはサーバコンピュータから転送されたプログラムを、自己の記憶装置に格納する。そして、コンピュータは、自己の記憶装置からプログラムを読み取り、そのプログラムに従った処理を実行する。なお、コンピュータは、可搬型記録媒体から直接プログラムを読み取り、そのプログラムに従った処理を実行することもできる。また、コンピュータは、サーバコンピュータからプログラムが転送されるごとに、逐次、受け取ったプログラムに従った処理を実行することもできる。
【符号の説明】
【０１１３】
１  通信端末
２  通信識別情報記憶部
３  通信履歴記憶部
４  通信実行部
５  取得部
６，１８  比較部
７  架空通信履歴生成部
８  通信履歴表示部
１０  携帯電話
１０ａ  ＣＰＵ
１０ｂ  ＲＡＭ
１０ｃ  フラッシュメモリ
１０ｄ  表示部
１０ｄ１  表示画面
１０ｅ  入力部
１０ｆ  スピーカ
１０ｇ  マイク
１０ｈ  無線通信部
１０ｉ  アンテナ
１０ｊ  バス
１１  電話帳データベース
１２，１２ａ，１２ｂ  通話履歴テーブル
１３  通話実行部
１４  通話履歴更新部
１５  通話履歴表示実行部
１６  モード識別部
１７  属性取得部
１９  表示履歴生成部
２０  表示処理部
２１  架空通話履歴生成部
Ａ１，Ａ２，Ｓ１，Ｓ２  通信履歴情報
Ｘ  記憶表示範囲
【図１】
0005418422.tif 000002
【図２】
0005418422.tif 000003
【図３】
0005418422.tif 000004
【図４】
0005418422.tif 000005
【図５】
0005418422.tif 000006
【図６】
0005418422.tif 000007
【図７】
0005418422.tif 000008
【図８】
0005418422.tif 000009
【図９】
0005418422.tif 000010
【図１０】
0005418422.tif 000011
【図１１】
0005418422.tif 000012
【図１２】
0005418422.tif 000013
【図１３】
0005418422.tif 000014
【図１４】
0005418422.tif 000015
【図１５】
0005418422.tif 000016
【図１６】
0005418422.tif 000017